(57)【要約】【課題】プリント注文者からのプリント注文の注文情報をプリント作成者側において容易に取得できるようにすることにより、該注文情報に基づいて容易にプリント作成を行うことのできるプリント注文受注システムを提供すること。【解決手段】プリント注文の注文情報を入力する入力手段と、該入力手段により入力された前記注文情報を記憶する注文記憶手段と、該注文記憶手段に記憶された前記注文情報をプリント料金回収用媒体に記録する出力手段とを有することを特徴とするプリント注文受注システム。【選択図】        図２
2005172947.tif 000002
【特許請求の範囲】
【請求項１】
プリント注文の注文情報を入力する入力手段と、該入力手段により入力された前記注文情報を記憶する注文記憶手段と、該注文記憶手段に記憶された前記注文情報をプリント料金回収用媒体に記録する出力手段とを有することを特徴とするプリント注文受注システム。
【請求項２】
プリント注文の注文情報を入力する入力手段と、該入力手段により入力された前記注文情報と該注文情報に基づいて生成された料金情報とを記憶する注文記憶手段と、該注文記憶手段に記憶された前記注文情報と料金情報をプリント料金回収用媒体に記録する出力手段とを有することを特徴とするプリント注文受注システム。
【請求項３】
前記入力手段による入力を行うための入力画面を表示する表示手段を有することを特徴とする請求項１又は２記載のプリント注文受注システム。
【請求項４】
前記表示手段には、前記入力手段によってプリント注文者によりに入力されたプリント注文の注文情報を当該プリント注文者に確認させるための確認画面を表示させることを特徴とする請求項３記載のプリント注文受注システム。
【請求項５】
前記プリント注文の注文情報には、プリントを作成する画像データを特定する画像データ特定情報が含まれ、前記確認画面には、前記画像データ特定情報に対応したインデックス画像が含まれることを特徴とする請求項４記載のプリント注文受注システム。
【請求項６】
前記注文記憶手段に記憶された注文情報のデータを持ち運び可能な記録メディアに記録する記録手段を有することを特徴とする請求項１〜５のいずれかに記載のプリント注文受注システム。
【請求項７】
前記注文記憶手段に記憶された注文情報のデータを、通信回線を利用してプリント作成手段に送信可能とする送信手段を有することを特徴とする請求項１〜５記載のプリント注文受注システム。
【請求項８】
前記プリント注文の注文情報には、プリントを作成する画像データを特定する画像データ特定情報が含まれ、前記出力手段は、前記画像データ特定情報に対応したインデックス画像を前記プリント料金回収用媒体に記録することを特徴とする請求項１〜７のいずれかに記載のプリント注文受注システム。
【請求項９】
前記プリント料金回収用媒体は袋状に形成され、前記注文情報に基づいて作成されたプリントをプリント注文者へ納品する納品袋を兼ねていることを特徴とする請求項１〜８のいずれかに記載のプリント注文受注システム。
【発明の詳細な説明】
【技術分野】
【０００１】
本発明はプリント注文受注システムに関し、詳しくは、学校等の団体の行事を撮影したプリントの作成を受注する際の作業性を向上させたプリント注文受注システムに関する。
【背景技術】
【０００２】
幼稚園、各種学校、会社等（以下、団体という。）で行われる行事においては、撮影業者によって行事の様子や行事にかかわる人物の様子の撮影が行われている。撮影業者は、撮影したフィルムや画像データをプリント作成業者（以下、ラボという。）に送り、ラボにおいて作成された見本プリントを受け取って、この見本プリントに基づいて、その行事を行った団体からのプリントの注文を受け付けるようにしている。
【０００３】
例えば、団体が学校である場合の学校、撮影業者及びラボの間での学校行事の計画からプリント受注、納品、配布までの一連の流れを簡単に説明すると、まず、学校は学校行事計画を撮影業者に連絡する。撮影業者は、学校から学校行事計画を入手した後、当日に学校行事の様子及び生徒の撮影を行う。撮影後、撮影業者は撮影した画像データをラボに送り、ラボではこれを回収した後、プリント受注を行うための撮影内容を示す見本プリントを作成し、撮影業者に納入する。撮影業者は、この見本プリントを学校に貼り出し、生徒からのプリントの注文を受け付ける。このとき撮影業者は、プリント注文用の注文袋も同時に学校に納入する。学校では、生徒が貼り出された見本プリントを参照しながら、各自に配布された注文袋に所望するプリントを特定する例えばプリント番号とプリント枚数を手書きし、所定の代金を注文袋に同封する。撮影業者は、学校から見本プリントと共に生徒各自の注文袋を回収し、ラボへ送る。この注文袋を送られたラボは、注文袋を一枚一枚確認して集計を行い、所要枚数のプリントを作成した後、各注文袋に収容し、これを撮影業者に納入する。撮影業者は、ラボから納入されたプリントを学校に納品し、学校はこれを生徒各自に配布する。
【発明の開示】
【発明が解決しようとする課題】
【０００４】
このような従来のプリント受注の流れでは、次の問題があった。すなわち、ラボでは、学校等の団体単位でのプリント作業を行うために、回収されてきた各注文袋に記入されているプリント番号とプリント枚数を生産装置（プリント作成手段）の入力端末に入力していく作業を行う。
【０００５】
しかし、この入力作業はラボの作業者により逐一手作業で行われるため、極めて煩雑な作業となる。しかも、注文袋にはプリント注文者自らの手で手書きされているため、中には判読しづらい場合もあり、その確認作業が必要となる場合もある。特に一つの行事における注文袋の数は、団体単位で数十枚から数百枚にも及ぶため、これらを一枚一枚確認しながら手作業での入力作業を行うことは多大な時間と労力を要する問題があった。
【０００６】
そこで、本発明の課題は、プリント注文者からのプリント注文の注文情報をプリント作成者側において容易に取得できるようにすることにより、該注文情報に基づいて容易にプリント作成を行うことのできるプリント注文受注システムを提供することにある。
【０００７】
本発明の他の課題は、本明細書の以下の記載によって明らかとなる。
【課題を解決するための手段】
【０００８】
本発明の上記課題は、以下の各発明によって解決される。
【０００９】
（請求項１）プリント注文の注文情報を入力する入力手段と、該入力手段により入力された前記注文情報を記憶する注文記憶手段と、該注文記憶手段に記憶された前記注文情報をプリント料金回収用媒体に記録する出力手段とを有することを特徴とするプリント注文受注システム。
【００１０】
（請求項２）プリント注文の注文情報を入力する入力手段と、該入力手段により入力された前記注文情報と該注文情報に基づいて生成された料金情報とを記憶する注文記憶手段と、該注文記憶手段に記憶された前記注文情報と料金情報をプリント料金回収用媒体に記録する出力手段とを有することを特徴とするプリント注文受注システム。
【００１１】
（請求項３）前記入力手段による入力を行うための入力画面を表示する表示手段を有することを特徴とする請求項１又は２記載のプリント注文受注システム。
【００１２】
（請求項４）前記表示手段には、前記入力手段によってプリント注文者によりに入力されたプリント注文の注文情報を当該プリント注文者に確認させるための確認画面を表示させることを特徴とする請求項３記載のプリント注文受注システム。
【００１３】
（請求項５）前記プリント注文の注文情報には、プリントを作成する画像データを特定する画像データ特定情報が含まれ、前記確認画面には、前記画像データ特定情報に対応したインデックス画像が含まれることを特徴とする請求項４記載のプリント注文受注システム。
【００１４】
（請求項６）前記注文記憶手段に記憶された注文情報のデータを持ち運び可能な記録メディアに記録する記録手段を有することを特徴とする請求項１〜５のいずれかに記載のプリント注文受注システム。
【００１５】
（請求項７）前記注文記憶手段に記憶された注文情報のデータを、通信回線を利用してプリント作成手段に送信可能とする送信手段を有することを特徴とする請求項１〜５記載のプリント注文受注システム。
【００１６】
（請求項８）前記プリント注文の注文情報には、プリントを作成する画像データを特定する画像データ特定情報が含まれ、前記出力手段は、前記画像データ特定情報に対応したインデックス画像を前記プリント料金回収用媒体に記録することを特徴とする請求項１〜７のいずれかに記載のプリント注文受注システム。
【００１７】
（請求項９）前記プリント料金回収用媒体は袋状に形成され、前記注文情報に基づいて作成されたプリントをプリント注文者へ納品する納品袋を兼ねていることを特徴とする請求項１〜８のいずれかに記載のプリント注文受注システム。
【発明の効果】
【００１８】
本発明によれば、プリント注文者からのプリント注文の注文情報をプリント作成者側において容易に取得でき、該注文情報に基づいて容易にプリント作成を行うことのできるプリント注文受注システムを提供することができる。
【発明を実施するための最良の形態】
【００１９】
以下、本発明の実施の形態について図面を用いて説明する。
【００２０】
図１は、本発明に係るプリント注文受注システムの概略構成の一例を示す図であり、図２は、図１のプリント注文受注システムに用いられるコンピュータの構成の一例を示す機能ブロック図である。
【００２１】
図１において、本発明のプリント受注システムは、各処理を行うコンピュータ１０、各種必要な表示を行う表示手段としてのモニタ２０、各種入力を行うキーボード３０及びマウス４０、各種必要なプリントを行う出力手段としてのプリンタ５０を備えている。
【００２２】
また、図２において、１はプリント注文の注文情報を入力するための入力手段で入力された注文情報等を受け付ける入力部、２は入力部１でコンピュータ１０内に入力された注文情報を記憶する注文記憶手段である注文記憶部、３は上記注文情報に基づいてプリント料金を演算して料金情報を生成する料金演算部である。料金演算部３で生成された料金情報も前記注文記憶手段２に記憶される。
【００２３】
４は上記注文情報を印字記録する等のプリントを行うための出力手段としてのプリンタ５０を制御するプリント制御部である。
【００２４】
また、５はプリント注文を行うための画面表示を行うＣＲＴモニタや液晶モニタ等の各種モニタ２０の表示を制御する表示制御部、６は上記注文情報のデータをＣＤ−Ｒやフレキシブルディスク等の適宜の記録メディアに記録するための記録手段を制御するデータ記録制御部、７は撮影者により撮影された写真の画像データを記憶する画像記憶部、８は上記注文情報のデータを通信回線を介して送信するデータ送信部であり、これらは本発明において好ましく設けられる。９は上記各部を制御するメイン制御部である。尚、データ記録制御部６及びデータ送信部８は、好ましく設けられる。
【００２５】
ここで、かかるプリント注文受注システムについて、プリント注文者の団体が幼稚園である場合の作用を図３に示すフローチャートを用いて説明しながら、更に説明する。
【００２６】
本発明に係るプリント注文受注システムは、プリント注文者が上記モニタ２０の表示を確認してキーボード３０及びマウス４０を操作することにより注文操作し易い場所、本実施形態に示す例では、好ましくは幼稚園に設置される。
【００２７】
プリント注文受注システムは、表示制御部５は、モニタ２０の画面上にプリント注文者（例えば幼稚園児の親）からのプリント注文を受け付けるための入力画面を表示する（ＳＴＥＰ１）。表示手段であるモニタ２０に入力画面を表示することで、プリント注文者の入力操作は簡便化される。
【００２８】
この入力画面の表示の一例を図４に示す。
【００２９】
モニタ２０の入力画面には、学校、幼稚園等の団体名記入欄１０１、学年や組等の所属部を記入する所属部記入欄１０２、氏名を記入する氏名記入欄１０３、整理番号を表示する整理番号表示欄１０４の各欄が上段に設けられており、その下に、プリント注文の番号を記入する写真番号記入欄１０５が複数設けられて表示されている。なお、入力画面には、サイズを記述する欄があってもよい。
【００３０】
プリント注文者は、撮影業者によって幼稚園に貼り出された見本プリントを参照しながら、プリント注文受注システムの入力手段を操作する。この入力手段としては、例えばテンキーや文字入力キー等の各種入力キーを有するキーボード３０、マウス４０、その他ライトペン等のポインティングデバイス等を用いることができ、これら入力手段の操作により、図４に示す入力画面にプリント注文者によって所要事項が入力される（ＳＴＥＰ２）。
【００３１】
図４では、写真番号記入欄１０５に写真No.２４５、２７５、３１６、３３８、１５８６が各１枚ずつ、計５枚が注文により入力された状態を示している。同一写真を複数枚注文する場合は、例えばマウスを用いて写真番号の横の枚数表示１０５ａをクリックすることにより、２枚、３枚・・・等に順次変更表示させるようにすることができる。この写真番号記入欄１０５に入力される写真番号の情報は、プリントを作成する画像データを特定する画像データ特定情報である。
【００３２】
このように入力画面に所要事項の入力があると、メイン制御部９では、団体名、所属部及び氏名の入力を確認することにより、各プリント注文者に固有の整理番号を発行し、表示制御部５によりモニタ２０の整理番号表示欄１０４に表示させる（ＳＴＥＰ３）。
【００３３】
プリント注文者による入力間違いや入力のやり直しの際は、クリアボタン１０６の操作により入力し直され、プリント注文者により全ての所要事項が記入し終わると、決定ボタン１０７の操作により注文の確定がなされる（ＳＴＥＰ４）。なお、このとき必要事項の欄（例えば氏名記入欄１０３等）に未記入がある場合は、再度入力可能状態となってプリント注文者からの入力を受け付ける。
【００３４】
料金演算部３には、写真番号毎の料金情報が記憶されている。メイン制御部９はこの決定ボタン１０７が操作された後に必要事項の欄に未記入がないことを確認すると、注文された写真及びその枚数の情報に基づいてプリント注文者に掛かる料金を料金演算部３において演算する（ＳＴＥＰ５）。
【００３５】
次いで、メイン制御部９は、この演算結果が出ると、それを表示制御部５によりモニタ２０上の確認画面として表示させ、プリント注文者に確認を促す（ＳＴＥＰ６）。
【００３６】
この確認画面の表示の一例を図５に示す。
【００３７】
確認画面には、団体名表示欄２０１、所属部表示欄２０２、氏名表示欄２０３、整理番号表示欄２０４の各欄が上段に設けられており、その下に、プリント注文者によって注文された注文情報や料金情報が表示されている。
【００３８】
この注文情報としては、注文された写真番号とその枚数が含まれ、料金情報としてはサイズと料金総額が少なくとも含まれていることが好ましい。
【００３９】
更に図示するように、注文された写真番号等と共にその画像データ２０５が表示されていることが好ましい。これによりプリント注文者は自らが注文した写真内容を確認画面上で直接目視確認することができる。画像データ２０５は、確認画面上に複数同時に表示可能とするためにサムネイル化されたインデックス画像とすることが好ましい。
【００４０】
この画像データ２０５は、画像データを特定する画像データ特定情報である注文情報中の写真番号に基づいて、メイン制御部９が画像記憶部７から読み出した画像データに基づいて表示制御部５がモニタ２０の確認画面上に表示させることによって表示することができる。
【００４１】
このとき画像記憶部７は、予め画像データを記録したＣＤ−Ｒやフレキシブルディスク等の適宜の記録メディアから読み出すことによって取得したり、ネットワークを介して画像データを取得した画像データ２０５を記憶している。  
【００４２】
各画像データ２０５の下段には、対応する注文表示欄２０６が設けられており、そこには写真番号２０６ａ、プリントサイズ２０６ｂ、枚数２０６ｃの各情報が表示されている。
【００４３】
また、画面右下には料金情報の一例である料金表示欄２０７が設けられ、上記料金演算部３によって演算された料金総額が表示されている。ここでは、プリントサイズ毎に料金が異なる場合を示しており、Ｌサイズの合計枚数とその料金が表示される欄２０７ａとＫＧサイズの合計枚数とその料金が表示される欄２０７ｂとそれらの合計金額が表示される欄２０７ｃとが設けられている。
【００４４】
かかる確認画面は、プリント注文者に対して注文したその場で確認される。プリント注文者が更に他のプリントを追加注文したい場合や、注文内容をこの段階で変更したい場合等は、戻るボタン２０８を操作することにより、表示部５の画面表示は図３に示す入力画面に戻る。これにより再度プリント注文者からの入力を受け付ける。また、プリント注文者が確認画面の内容でよいことを確認すると、決定ボタン２０９の操作により注文内容が確定される（ＳＴＥＰ７）。
【００４５】
メイン制御部９は、決定ボタン２０９の操作がなされると、当該プリント注文者を特定するための情報の他に、当該プリント注文者による注文情報のデータ、ここでは入力部１により入力された注文情報である写真番号及びその枚数の情報データと該注文情報に基づいて生成された料金情報データとを注文記憶部２に記憶する（ＳＴＥＰ８）。
【００４６】
更に、メイン制御部９は、この注文情報のデータをプリント料金回収用媒体に記録するため、プリント制御部４を介してプリンタ５０へ出力する。
【００４７】
プリント料金回収用媒体は、プリント注文者からのプリント注文申込書であると同時に、プリント注文者からプリント料金を回収する際の請求書として機能し、プリント注文者各自に配布される媒体である。このプリント料金回収用媒体としては、内部に料金を収納可能な袋状のものの他、プリント料金その他の所要事項を表示可能なカード状やシート状のもの等が挙げられるが、そのまま料金を収納できる点で袋状のものとすることが好ましい。図６には、この袋状のプリント料金回収用媒体である料金回収袋３００を例示している。
【００４８】
プリンタ５０には、レーザープリンタ、インクジェットプリンタ等の適宜の出力手段を用いることができ、料金回収袋３００はこのプリンタ５０にセットされている。
【００４９】
プリント制御部４では、注文情報のデータが入力されると、それに基づいて注文情報や料金情報のデータを所定の形式で印字記録していく。
【００５０】
図６には、料金回収袋３００表面の上段に、団体名表示欄３０１、所属部表示欄３０２、氏名表示欄３０３、整理番号表示欄３０４の各欄が設けられており、その下に、プリント注文者によって注文された注文情報が印字記録されている。
【００５１】
この料金回収袋３００に印字記録される注文情報と料金情報としては、注文された写真番号とその枚数及び料金総額が少なくとも含まれている。
【００５２】
更に図示するように、注文された写真番号等と共にその画像データ３０５が表示されていることが好ましい。これは、料金回収袋３００自体がプリント注文申込書としての機能も有しているため、ここでプリント注文者によって自らの注文したプリント内容を再確認することができるようにするためである。この画像データ３０５も、料金回収袋３００表面に複数同時に表示可能とするためにサムネイル化されたインデックス画像とすることが好ましい。
【００５３】
この画像データ３０５は、画像データを特定する画像データ特定情報である注文情報中の写真番号に基づいて、メイン制御部９が画像記憶部７から読み出した画像データに基づいてプリント制御部４がプリンタ５０によって料金回収袋３００表面に記録させる。
【００５４】
各画像データ３０５の右側には、対応する注文表示欄３０６が設けられており、そこには写真番号３０６ａ、プリントサイズ３０６ｂ、枚数３０６ｃの各情報が印字記録されている。
【００５５】
また、料金回収袋３００の下段には料金表示欄３０７が設けられており、料金演算部３によって演算された料金総額が印字記録されている。すなわち、ここでは、Ｌサイズの合計枚数とその料金が表示される欄３０７ａとＫＧサイズの合計枚数とその料金が表示される欄３０７ｂとそれらの合計金額が表示される欄３０７ｃとがそれぞれ印字記録されている。
【００５６】
料金回収袋３００にかかる注文情報を記録する場合、以上のように料金回収袋３００をプリンタ５０にセットすることによって該料金回収袋３００の表面に対して直接行うものに限らず、別途シール状の記録紙等に上記注文情報を印字記録しておき、これを料金回収袋３００の表面の所定箇所に貼着するようにしてもよい。
【００５７】
このようにしてプリンタ５０において作成されたプリント注文者毎の料金回収袋３００は、撮影業者によって回収され、プリント作成を行うためラボへと受け渡される。ラボでは、各料金回収袋３００に基づいて所要プリントの集計作業を行うが、プリント注文者からの注文情報がプリンタ５０によって所定の形式で料金回収袋３００に印字記録されているため、判読しづらいような問題は生じることはなく、ラボ側での確認作業が楽に行えるようになる。
【００５８】
また、注文情報は所定の形式で印字記録されていることから、これをＯＣＲ等の自動文字読み取り装置を用いて読み取ることにより、プリント作成手段の入力端末に入力することも可能である。これによれば、ラボ側でのプリント作成手段の入力端末への入力作業を自動化することができる。
【００５９】
ラボにおいて各注文袋３００に基づいてプリントが作成されると、作成されたプリントは撮影業者に納品され、撮影業者から各プリント注文者へ納品される。
【００６０】
ここで、プリント料金回収用媒体として料金回収袋３００を用いた場合、この料金回収袋３００は、ラボにおいてプリント注文者からの注文情報に基づいて作成されたプリントを、プリント注文者へ納品する際に用いられる納品袋を兼ねていることが好ましい。
【００６１】
各プリント注文者から回収した料金回収袋３００をそのまま利用して、その内部に作成されたプリントを収容して納品できるため、プリント収容時に、そのプリントと料金回収袋３００に記録されている注文情報とを確認することができるため、収容間違い等を生ずるおそれを少なくできる。
【００６２】
また、プリント注文者にとっても、見本プリントを参照しながらの注文時と作成されたプリントの受け取り時とでは時間的な隔たりがあることから、自己の注文したプリントがどのプリントであるかを忘れてしまっている場合があるが、料金回収袋３００をそのまま納品袋とすることで、自己の注文した内容と収容されているプリントとの確認を行うことができる。特に、図６に示したように、料金回収袋３００に画像データ３０５が記録されていると、プリント注文者は注文した際の画像そのものを目視確認できるため、作成されたプリントとの確認作業が一層簡単に行えるようになる。
【００６３】
以上の説明では、プリントを作成するラボに対する注文情報の伝達を、印字部４によって注文情報が印字記録されたプリント料金回収用媒体自体をラボへ受け渡すことによって行うようにしたが、本発明に係るプリント注文受注システムにおいて好ましく設けられるデータ記録制御部６を利用して、注文情報のデータをＣＤ−Ｒやフレキシブルディスク等の持ち運び可能な適宜の記録メディアに記録し、これをラボへ受け渡すことによって行うようにしてもよい。
【００６４】
注文記憶部２には、注文情報や料金情報がプリント注文者毎に記憶される。この注文記憶部２に記憶されるプリント注文者毎の注文情報や料金情報のデータの例を図７に示す。
【００６５】
記憶データには、プリント注文者の所属する団体を特定する団体特定情報４０１、各プリント注文者に固有の整理番号情報４０２、当該プリント注文者の組情報４０３、氏名情報４０４、写真番号情報４０５、枚数情報４０６、単価情報４０７、小計金額情報４０８、合計金額情報４０９の各項目が記憶されている。
【００６６】
従って、かかる注文記憶部２に記憶されている注文情報や料金情報のデータそのものを、団体単位の注文情報や料金情報のデータとして一括して記録メディアに記録してラボへ受け渡し、ラボにおいてその記録メディアをプリント作成手段の入力端末に装填して記憶データを自動的に読み取ることで、そこに記憶されているプリント注文者毎の注文情報や料金情報に基づいて、プリント注文者毎のプリント作成を容易に行うことができるようになる。
【００６７】
更に、図７に示したように注文記憶部２に記憶されている注文情報や料金情報のデータを、本発明に係るプリント注文受注システムにおいて好ましく設けられるデータ送信部８を用いて、直接ラボが管理するサーバへ送信することもできる。
【００６８】
この場合は、ラボが管理するサーバは１つのサーバを設けて、該サーバで注文の受け付けから、プリント作成までの処理をする態様が挙げられるが、図８に示すように、ラボが管理するサーバを第１のサーバ５００と第２のサーバ５１０とに分散してインターネット６００上に設けることもできる。分散して設けた場合、第１のサーバでプリント注文者からの注文内容を受け付けて、該受け付けた内容を記憶する。一方、第２のサーバでは、入力端末５０１からプリント作成の指示が入力されると、第１のサーバに記憶された図７に示す注文情報や料金情報のデータ取得して、該データに基づいてプリンタ５０２でプリント作成を行う態様とすることができる。
【００６９】
尚、上記の態様では、メイン制御部９と、料金演算部３、プリント制御部４、表示制御部５、データ記録制御部６とを別々の装置として構成したが、各制御及び処理を行うためのプログラムを記憶したＲＯＭやＲＡＭ等の主記憶装置と該プログラムを演算処理するＣＰＵ等の演算装置により一体として構成することができる。
【００７０】
また、注文記憶部２と画像記憶部７とを別々の装置として構成したが、同一の主記憶装置によって構成されていてもよい。
【図面の簡単な説明】
【００７１】
【図１】本発明に係るプリント注文受注システムの概略構成の一例を示す図
【図２】図１のプリント注文受注システムに用いられるコンピュータの構成の一例を示す機能ブロック図
【図３】プリント注文者の団体が幼稚園である場合の作用を示すフローチャート
【図４】入力画面の表示の一例を示す図
【図５】確認画面の表示の一例を示す図
【図６】袋状のプリント料金回収用媒体である料金回収袋の例を示す図
【図７】注文記憶部に記憶されるプリント注文者毎の注文情報のデータの一例を示す図
【図８】プリント注文受注システムからラボへの注文情報のデータの受け渡しをネットワークを介して行うシステム例を示す図
【符号の説明】
【００７２】
１：入力部
２：注文記憶部
３：料金演算部
４：プリント制御部
５：表示制御部
６：データ記録制御部
７：画像記憶部
８：データ送信部
９：メイン制御部
１０：コンピュータ
２０：モニタ
３０：キーボード
４０：マウス
５０：プリンタ
１０１：団体名記入欄
１０２：所属部記入欄
１０３：氏名記入欄
１０４：整理番号表示欄
１０５：写真番号記入欄
１０５ａ：枚数表示
１０６：クリアボタン
１０７：決定ボタン
２０１：団体名表示欄
２０２：所属部表示欄
２０３：氏名表示欄
２０４：整理番号表示欄
２０５：画像データ
２０６：注文表示欄
２０７：料金表示欄
２０８：戻るボタン
２０９：決定ボタン
３００：料金回収袋
３０１：団体名表示欄
３０２：所属部表示欄
３０３：氏名表示欄
３０４：整理番号表示欄
３０５：画像データ
３０６：注文表示欄
３０７：料金表示欄
４０１：団体特定情報
４０２：整理番号情報
４０３：プリント注文者の組情報
４０４：氏名情報
４０５：写真番号情報
４０６：枚数情報
４０７：単価情報
４０８：小計金額情報
４０９：合計金額情報
５００：ラボサーバ
５０１：入力端末
５０２：プリンタ
６００：インターネット
６０１：管理サーバ
【図１】
2005172947.tif 000003
【図２】
2005172947.tif 000004
【図３】
2005172947.tif 000005
【図４】
2005172947.tif 000006
【図５】
2005172947.tif 000007
【図６】
2005172947.tif 000008
【図７】
2005172947.tif 000009
【図８】
2005172947.tif 000010